(57)【要約】【課題】温度モニターデバイスを具える伝動部材を提供する。【解決手段】本発明は主に軸体１と、移動体２と、回流部材９と、転動体３と、温度モニターデバイスとを含み、温度モニターデバイスは、電源７と、熱感知センサー５と、警報装置４とにより構成される。熱感知センサー５は、移動体２に取り付けられるとともに、移動体２の熱エネルギーを感知し、こうして感知した熱エネルギーが増加すると、その抵抗値が低下し、警報装置４が信号を自動に発してユーザーに告知するか、又は冷却装置が起動され、伝動部材を冷却する。これにより、温度の高すぎることに伴う伝動部材の位置決めの精度不良、潤滑不良及び機能低下を回避することができる。また、温度モニターデバイスは構造が簡単で、製造及び取り付けが便利で、しかも重複使用することもできる。【選択図】図２Ａ
2011047440.tif 000002
【特許請求の範囲】
【請求項１】
長条状を呈し、外面に転動溝が形成される軸体と、
前記軸体を収容する収容部と、前記収容部内面に前記転動溝に対応して形成される転動槽と、前記転動溝と前記転動槽とにより形成される負荷経路を有する移動体と、
前記移動体上に設けられ、回流路を具え、前記回流路と前記負荷経路とを接続して形成される無限循環経路を有する回流部材と、
前記無限循環経路に設置され、前記軸体と前記移動体との間を転動媒体として転動する複数の転動体と、
電源と、熱感知センサーと、警報装置とを直列に構成する一つの回路を有する温度モニターデバイスと、からなり、
前記熱感知センサーは、前記移動体に取り付けられるとともに、前記移動体の熱エネルギーを感知し、こうして感知した熱エネルギーが増加すると、前記回路の抵抗値が低下し、前記警報装置が信号を発してなる構成を有することを特徴とする、温度モニターデバイスを具える伝動部材。
【請求項２】
長条状を呈し、外面に転動溝が形成される軸体と、
前記軸体を収容する収容部と、前記収容部内面に前記転動溝に対応して形成される転動槽と、前記転動溝と前記転動槽とにより形成される負荷経路を有する移動体と、
前記移動体上に設けられ、回流路を具え、前記回流路と前記負荷経路とを接続して形成される無限循環経路を有する回流部材と、
前記無限循環経路に設置され、前記軸体と前記移動体との間を転動媒体として転動する複数の転動体と、
電源と、熱感知センサーと、抵抗と、警報装置とを有し、前記電源と前記熱感知センサーと抵抗とを直列に接続するとともに、前記警報装置と前記抵抗とを並列に接続して構成する一つの回路を有する温度モニターデバイスと、からなり、
前記熱感知センサーは、前記移動体に取り付けられるとともに、前記移動体の熱エネルギーを感知し、こうして感知した熱エネルギーが増加すると、前記回路の抵抗値が低下し、前記警報装置が信号を発してなる構成を有することを特徴とする、温度モニターデバイスを具える伝動部材。
【請求項３】
前記移動体に収容孔を設け、前記収容孔内面に前記熱感知センサーを接触で設置してなる構成を有することを特徴とする、請求項１または２に記載の温度モニターデバイスを具える伝動部材。
【請求項４】
前記移動体に収容孔を設け、前記収容孔内面に前記熱感知センサーを非接触で設置してなる構成を有することを特徴とする、請求項１または２に記載の温度モニターデバイスを具える伝動部材。
【請求項５】
前記移動体に収容孔を設け、前記熱感知センサーを導熱部材で被覆するとともに、前記収容孔内面に前記導熱部材を接触で設置してなる構成を有することを特徴とする、請求項１または２に記載の温度モニターデバイスを具える伝動部材。
【請求項６】
前記移動体に収容孔を設け、前記熱感知センサーを導熱部材で被覆するとともに、前記収容孔内面に前記導熱部材を非接触で設置してなる構成を有することを特徴とする、請求項１または２に記載の温度モニターデバイスを具える伝動部材。
【請求項７】
前記警報装置が、前記伝動部材を冷却するための冷却装置を開閉する制御信号を発信してなる構成を有することを特徴とする、請求項１または２に記載の温度モニターデバイスを具える伝動部材。
【請求項８】
前記熱感知センサーは、サーミスターまたは熱電対であることを特徴とする、請求項１または２に記載の温度モニターデバイスを具える伝動部材。
【請求項９】
前記抵抗は、熱感知センサーに電圧の負荷を与えないことができることを特徴とする、請求項２に記載の温度モニターデバイスを具える伝動部材。
【請求項１０】
前記抵抗が、熱感知センサーに電圧の負荷を低減することができることを特徴とする、請求項２に記載の温度モニターデバイスを具える伝動部材。
【請求項１１】
前記導熱部材は、銀粉と、銅粉と、アルミニウム粉と、金粉と、鉄粉と、シリコーン油と酸化マグネシウムとからなる混合物、シリコーン油と銀粉とからなる混合物、シリコーン油と銅粉とからなる混合物、またはシリコーン油と酸化アルミニウムと窒化ホウ素若しくは酸化亜鉛とから混合物のいずれか一つの混合物で製造されることを特徴とする、請求項５または６に記載の温度モニターデバイスを具える伝動部材。
【発明の詳細な説明】
【技術分野】
【０００１】
本発明は伝動部材に係り、特に温度モニターデバイスを具える伝動部材に関する。
【背景技術】
【０００２】
アメリカ合衆国特許第４９３９９２０号公報（特許文献１）には、機械式温度モニターデバイスが開示されている（図３と図４を参照）。該温度モニターデバイスでは、導熱ゴム１５を介して伝動部材の温度を脆性の容器１６へ伝えるようになっている。該容器１６には、熱膨張性を有する液体１７を充満し、容器の一端はロッド１８の一端によって押えられ、該ロッド１８は、バネ１９によって所定圧力を付与され、これにより、該容器１６を確実に押える。而も該ロッド１８の他端は、押え部材８の通孔２２を貫通し、これにより押え部材８の作動を制限する（図４を参照）。伝動部材の温度が持続的に高くなると、熱エネルギーが容器１６へ伝わり、さらに液体１７へ伝わることにより、液体１７は膨張し、容器１６は液体１７の過度な膨張によって、最後に爆裂する。容器１６の爆裂によって、該ロッド１８は、一端がバネ１９の所定圧力により内側へ移動し、他端が押え部材８の通孔２２から離脱する。これにより、押え部材８が押えられなくなり、而も別のバネ２４によって外側へ押し出される。これにより、押え部材８の外側端部２３がスイッチ９と接触することができる（図３を参照）。そして、電源の開閉によって、伝動部材を保護することができる。さもなくば、伝動部材の損壊を引き起こす恐れがあり、しかも修理・修復にも相当な費用が掛かる。
【０００３】
ところで、上記の温度モニターデバイスは、構造が複雑で、製造コストが非常に高く、しかも組立時にも相当な時間が掛かり、最も重要なのは、容器１６が破損すると、温度モニターデバイスをもう二度と使用することができず、新しい容器１６を交換して再度使用しなければならないため、非常に不便で而も環境保全にも不都合で、より一層改善する必要がある。
【０００４】
その他、油潤滑の観点からみると、伝動部材の温度が上昇するときに、これは潤滑品質に直接で且つ重大な影響を及ぼす。なぜなら、温度が上昇すると、潤滑油の粘着係数が低下するからである。仮に潤滑が不足すると、温度の再上昇をもたらす悪循環を引き起こす。このような悪循環が発生すると、伝動部材間の接触面積の摩耗が加速し、故に伝動部材の精度、寿命及び性能等に影響を及ぼす。だから、温度の上昇が開始するとき、警報の提供が最も望ましい。この警報により、冷却の提供、潤滑油の増加又は作動停止などの後続補償措置をとることが可能となる。
【先行技術文献】
【特許文献】
【０００５】
【特許文献１】アメリカ合衆国特許第４９３９９２０号公報
【発明の概要】
【発明が解決しようとする課題】
【０００６】
そこで、本発明の主な課題は、構造が簡単で、コストが低く、重複使用が可能である温度モニターデバイス、を具える伝動部材を提供することにある。
【課題を解決するための手段】
【０００７】
上記課題を解決するために、本発明の請求項１は長条状を呈し、外面に転動溝が形成される軸体と、前記軸体を収容する収容部と、前記収容部内面に前記転動溝に対応して形成される転動槽と、前記転動溝と前記転動槽とにより形成される負荷経路を有する移動体と、前記移動体上に設けられ、回流路を具え、前記回流路と前記負荷経路とを接続して形成される無限循環経路を有する回流部材と、前記無限循環経路に設置され、前記軸体と前記移動体との間を転動媒体として転動する複数の転動体と、電源と、熱感知センサーと、警報装置とを直列に構成する一つの回路を有する温度モニターデバイスと、からなり、前記熱感知センサーは、前記移動体に取り付けられるとともに、前記移動体の熱エネルギーを感知し、こうして感知した熱エネルギーが増加すると、前記回路の抵抗値が低下し、前記警報装置が信号を発してなる構成を有することを特徴とする温度モニターデバイスを具える伝動部材である。
【０００８】
本発明の請求項２は長条状を呈し、外面に転動溝が形成される軸体と、前記軸体を収容する収容部と、前記収容部内面に前記転動溝に対応して形成される転動槽と、前記転動溝と前記転動槽とにより形成される負荷経路を有する移動体と、前記移動体上に設けられ、回流路を具え、前記回流路と前記負荷経路とを接続して形成される無限循環経路を有する回流部材と、前記無限循環経路に設置され、前記軸体と前記移動体との間を転動媒体として転動する複数の転動体と、電源と、熱感知センサーと、抵抗と、警報装置とを有し、前記電源と前記熱感知センサーと抵抗とを直列に接続するとともに、前記警報装置と前記抵抗とを並列に接続して構成する一つの回路を有する温度モニターデバイスと、からなり、前記熱感知センサーは、前記移動体に取り付けられるとともに、前記移動体の熱エネルギーを感知し、こうして感知した熱エネルギーが増加すると、前記回路の抵抗値が低下し、前記警報装置が信号を発してなる構成を有することを特徴とする温度モニターデバイスを具える伝動部材である。
【０００９】
本発明の請求項３は、請求項１または２において、前記移動体に収容孔を設け、前記収容孔内面に前記熱感知センサーを接触で設置してなる構成を有する。
【００１０】
本発明の請求項４は、請求項１または２において、前記移動体に収容孔を設け、前記収容孔内面に前記熱感知センサーを非接触で設置してなる構成を有する。
【００１１】
本発明の請求項５は、請求項１または２において、前記移動体に収容孔を設け、前記熱感知センサーを導熱部材で被覆するとともに、前記収容孔内面に前記導熱部材を接触で設置してなる構成を有する。
【００１２】
本発明の請求項６は、請求項１または２において、前記移動体に収容孔を設け、前記熱感知センサーを導熱部材で被覆するとともに、前記収容孔内面に前記導熱部材を非接触で設置してなる構成を有する。
【００１３】
本発明の請求項７は、請求項１または２において、前記警報装置が、前記伝動部材を冷却するための冷却装置を開閉する制御信号を発信してなる構成を有する。
【００１４】
本発明の請求項８は、請求項１または２において、前記熱感知センサーは、サーミスターまたは熱電対である。
【００１５】
本発明の請求項９は、請求項２において、前記抵抗は、熱感知センサーに電圧の負荷を与えないことができる。
【００１６】
本発明の請求項１０は、請求項２において、前記抵抗は、熱感知センサーに電圧の負荷を低減することができる。
【００１７】
本発明の請求項１１は、請求項５または６において、前記導熱部材は、銀粉と、銅粉と、アルミニウム粉と、金粉と、鉄粉と、シリコーン油と酸化マグネシウムとからなる混合物、シリコーン油と銀粉とからなる混合物、シリコーン油と銅粉とからなる混合物、またはシリコーン油と酸化アルミニウムと窒化ホウ素若しくは酸化亜鉛とから混合物のいずれか一つの混合物で製造される。
【発明の効果】
【００１８】
（イ）本発明は、温度モニターデバイスがモジュール化できるため、構造が簡単であり、製造及び取り付けが便利であり、しかも重複使用が可能である。
（ロ）本発明によれば、熱感知センサーは抵抗値が温度の変化につれて変化し、両者間には線形性が非常に安定し再現性も良好であるため、出力信号が非常に正確である。したがって、熱感知センサーを移動体に取り付け、負荷経路（又は熱発生源）に接近させることにより、負荷経路周辺の温度変化を精確に感知することができる。
（ハ）本発明によれば、温度が高すぎると、警報装置が警報信号を発するか、又は冷却装置を直接起動し、伝動部材に対して冷却を行う。これにより、伝動部材の冷却コストを大幅に低減することができる。なぜなら、温度モニターデバイスを有しない伝動部材では、伝動部材の温度に関係なく、冷却装置を作動する必要があるため、非常にエネルギーを浪費し、且つ製造コストが嵩むからである。これに対して、本発明は、温度モニターデバイスを具えるため、伝動部材の温度が一定値に達すると、温度モニターデバイスが冷却装置を起動し、冷却コストを大幅に低減し、環境保全に合致する。
【図面の簡単な説明】
【００１９】
【図１】本発明に係る温度モニターデバイスを具える伝動部材の斜視図である。
【図２Ａ】本発明に係る温度モニターデバイスを具える伝動部材の縦断面図である。
【図２Ｂ】本発明に係る温度モニターデバイスを具える伝動部材の縦断面図である。
【図３Ａ】本発明の回路図ある。
【図３Ｂ】本発明の回路図ある。
【発明を実施するための形態】
【００２０】
以下、添付図面を参照して本発明の好適な実施の形態を詳細に説明する。
【００２１】
図１、図２Ａ、２Ｂ、及び図３Ａ、３Ｂを参照されたい。本発明の温度モニターデバイスを具える伝動部材は、軸体１と、移動体２と、回流部材９と、転動体３と、温度モニターデバイスとを含む。
【００２２】
軸体１は、長条状を呈し、外面に転動溝１１が形成される。移動体２は、軸体１を収容する収容部２１と、収容部２１内面に転動溝１１に対応して形成される転動槽２１１と、転動溝１１と転動槽２１１とにより形成される負荷経路とを有する。
【００２３】
回流部材９は、移動体２上に設けられ、回流路（図せず）を具え、前記回流路と前記負荷経路とを接続して無限循環経路を形成する。転動体３は、前記無限循環経路に設置され、軸体１と移動体２との間を転動媒体として転動する。
【００２４】
温度モニターデバイスは、図３Ａに示すように、電源７と、熱感知センサー５と、警報装置４とを含む。電源７は、熱感知センサー５及び警報装置４と、を直列に構成して一つの回路を形成する。熱感知センサー５は、例えば、サーミスターまたは熱電対である。熱感知センサー５は、移動体２に取り付けられるとともに、移動体２の熱エネルギーを感知する。移動体２の熱エネルギーが増加するとき、熱感知センサー５の感知した熱エネルギーも増加する。しかも熱感知センサー５の熱エネルギーの増加によって、前記回路の抵抗値を低下させることができる。これにより、前記警報装置４に警報信号を発信させることができる。
【００２５】
また、図３Ｂに示すような別の温度モニターデバイスは、電源７と、熱感知センサー５と、抵抗８と、警報装置４とを含む。電源７は、熱感知センサー５と、抵抗８と、を直列にし、且つ警報装置４は、抵抗８と並列に構成することにより、一つの回路を形成する。抵抗８は、熱感知センサー５に電圧の負荷を付与せずに、又は低減させることができる。これにより、熱感知センサー５の損壊を防止するか、又は使用寿命を延長することができる。熱感知センサー５は、前述と同様に、移動体２に取り付けられ、移動体２の熱エネルギーを吸収する。移動体２の熱エネルギーが増加するとき、この熱エネルギーが熱感知センサー５へ伝わり、熱感知センサー５の熱エネルギーも増加する。熱感知センサー５の熱エネルギーの増加によって、前記抵抗値を低下させることができる。これにより、前記警報装置４に警報信号を発信させることができる。
【００２６】
さらに、図２Ａと図２Ｂを参照する。図２Ａは主に熱感知センサー５の取り付け方式を説明する図である。移動体２には収容孔２２を設け、収容孔２２に熱感知センサー５を設置する。該熱感知センサー５の外面は、収容孔２２の内面（又は内壁）と接触するのが最も好ましい（なお、非接触の場合、熱エネルギーの伝導が少し遅れる。図２Ａは接触の場合を示すものである）。また、収容孔２２の位置は、転動槽２１１に近づくのが最も好ましい。転動体３が転動槽２１１を転動して旋回するときに、摩擦による熱エネルギーが発生し、これは移動体２の熱エネルギー発生の主な原因だからである。このようにして、熱感知センサー５に熱エネルギーをより迅速且つ正確に吸収させることができる。さらに、図２Ｂに示すように、移動体２には収容孔２２を設け、この際に、熱感知センサー５の外面を導熱部材６で被覆する。導熱部材６は、収容孔２２の内面又は内壁と接触する（なお、非接触の場合、熱エネルギーの伝導が少し遅れる。図２Ｂは接触の場合を示すものである）。導熱部材６は、熱エネルギー伝導の媒体として、熱感知センサー５に熱エネルギーの吸収時間を短縮させることができ、故に警報装置４に警報の正確さをより一層高めることができる。
【００２７】
導熱部材６は、銀粉と、銅粉と、アルミニウム粉と、金粉と、鉄粉と、シリコーン油と酸化マグネシウムとからなる混合物、シリコーン油と銀粉とからなる混合物、シリコーン油と銅粉とからなる混合物、またはシリコーン油と酸化アルミニウムと窒化ホウ素若しくは酸化亜鉛とから混合物のいずれか一つの混合物である。こうして製造された導熱部材６は、熱感知センサーに熱エネルギーを均一に伝えるとともに、その吸収効率を高めることができる。
【００２８】
警報装置４は、作動すると、電気回路を介して冷却装置を同時に起動する。冷却装置は、伝動部材を冷却する。これにより、伝動部材の温度を下げ、しかも伝動部材中の潤滑油の粘着係数を高め、潤滑の目的を達成することができる。
【００２９】
以上は本発明の好ましい実施の形態であって、本発明の実施の範囲を限定するものではない。よって、当業者のなしえる修正、もしくは変更であって、この発明の精神の下においてなされ、かつこの発明に対して均等の効果を有するものは、いずれもこの発明の特許請求の範囲に含まれるものとする。
【符号の説明】
【００３０】
１         軸体
１１       転動溝
２         移動体
２１       収容部
２１１     転動槽
２２       収容孔
３         転動体
４         警報装置
５         熱感知センサー
６         導熱部材
７         電源
８         抵抗
９         回流部材
【図１】
2011047440.tif 000003
【図２Ａ】
2011047440.tif 000004
【図２Ｂ】
2011047440.tif 000005
【図３Ａ】
2011047440.tif 000006
【図３Ｂ】
2011047440.tif 000007